(57)【要約】【課題】安価で安全性の高い新タイプのヘッダーケースを使用することができるエレベータのリニューアル方法を提供する。【解決手段】既設のホールドアと既設のヘッダーケースとを新設のホールドアと新設のヘッダーケースとに交換する第１期作業と、既設の乗りかごを新設の乗りかごに交換する第２期作業とに分けて行い、第２期作業を開始するまでの間は作業を中断した場合にエレベータの利用を可能とする。第１期作業は、既設のインターロック装置と既設のスイッチボックスとを新設のホールドアと新設のヘッダーケースとに取付けて行い、第２期作業は、第１期作業で取付けた既設のインターロック装置と既設のスイッチボックスとを新設のインターロック装置と新設のスイッチボックスとに交換する。【選択図】図１
2012184090.tif 000002
【特許請求の範囲】
【請求項１】
既設のホールドアと既設のヘッダーケースとを新設のホールドアと新設のヘッダーケースとに交換する第１期作業と、既設の乗りかごを新設の乗りかごに交換する第２期作業とに分けて行い、第１期作業中は作業を中断した場合にエレベータの利用を可能とするエレベータのリニューアル方法であって、
前記第１期作業は、
前記既設のホールドアと前記既設のヘッダーケースとをエレベータホールから取外すステップと、
前記新設のホールドアと前記新設のヘッダーケースとを前記エレベータホールに取付けるステップと、
前記既設のホールドアと前記既設のヘッダーケースとから、既設のインターロック装置とこのインターロック装置のロック状態を検出する既設のスイッチボックスとを取外すステップと、
取外した前記既設のインターロック装置と前記既設のスイッチボックスとを前記新設のホールドアと前記新設のヘッダーケースとに取付けるステップと、
を備え、
前記第２期作業は、
前記既設の乗りかごをエレベータ昇降路内から取外すステップと、
前記新設の乗りかごを前記エレベータ昇降路内に取付けるステップと、
前記第１期作業で前記新設のホールドアと前記新設のヘッダーケースとに取付けた前記既設のインターロック装置と前記既設のスイッチボックスとを前記新設のホールドアと前記新設のヘッダーケースとから取外すステップと、
前記新設の乗りかごに設けられた新設の係合装置に係合可能な新設のインターロック装置を前記新設のホールドアと前記新設のヘッダーケースとのいずれか一方に取付けるステップと、
前記新設のインターロック装置のロック状態を検出する新設のスイッチボックスを前記新設のヘッダーケースに取付けるステップと、
を備えることを特徴とするエレベータのリニューアル方法。
【請求項２】
前記新設のスイッチボックスには、前記ホールドアが戸開していることを検出する戸開検出スイッチが設けられていることを特徴とする請求項１記載のエレベータのリニューアル方法。
【請求項３】
前記新設の係合装置は、前記新設のインターロック装置を前記新設のホールドアのスライド方向の両側から挟む一対の係合ベーンを有することを特徴とする請求項１又は２記載のエレベータのリニューアル方法。
【請求項４】
前記新設のインターロック装置は、前記新設のヘッダーケースに取付けられていることを特徴とする請求項１ないし３のいずれか一項に記載のエレベータのリニューアル方法。
【発明の詳細な説明】
【技術分野】
【０００１】
本発明の実施形態は、エレベータのリニューアル方法に関する。
【背景技術】
【０００２】
エレベータのリニューアル工事は、各階床のエレベータホールに設けられているホールドアやヘッダーケース及び乗りかごを交換する場合が多い。
【０００３】
また、エレベータのリニューアル工事では、リニューアル工事中におけるエレベータを利用できない期間を短縮するための工夫がなされている（例えば、下記特許文献１、２参照）。
【０００４】
リニューアル工事中におけるエレベータを利用できない期間を短縮する工夫としては、リニューアル工事を、ホールドアやヘッダーケースやインターロック装置を交換する第１期作業と、第１期作業終了後に乗りかごを交換する第２期作業とに分けて行い、第１期作業中においてはエレベータを利用可能な状態に維持し、例えば、エレベータ利用要望の高い朝夕の時間帯にはリニューアル工事を一時中断してエレベータを利用している。
【０００５】
第１期作業中においてエレベータを利用可能とするためには、新設したインターロック装置と既設の乗りかご側の既設の係合装置とを係合可能とする必要があり、そのためには、新設するヘッダーケースや新設するインターロック装置、新設するスイッチボックス等を、既設のものと略同じ構造にする必要がある。
【先行技術文献】
【特許文献】
【０００６】
【特許文献１】特開平１１-３５２５７号公報
【特許文献２】特開平７-１９６２７５号公報
【発明の概要】
【発明が解決しようとする課題】
【０００７】
しかしながら、既設のヘッダーケース、既設のインターロック装置、既設のスイッチボックスと略同じ構造のヘッダーケース、インターロック装置、スイッチボックスは、エレベータを新設する場合に数多く使用されている新タイプのヘッダーケース、新タイプのインターロック装置、新タイプのスイッチボックスに比べて、製造個数や出荷個数が少なく、割高となっている。
【０００８】
また、新タイプのヘッダーケース、新タイプのインターロック装置、新タイプのスイッチボックスは、安全基準の変更などに対応して安全性が高くなっており、新タイプのヘッダーケース、新タイプのインターロック装置、新タイプのスイッチボックスに比べて既設のヘッダーケース、既設のインターロック装置、既設のスイッチボックスと略同じ構造のヘッダーケース、インターロック装置、スイッチボックスは安全性が低い。
【０００９】
本発明はこのような課題を解決するためになされたもので、その目的は、安価で安全性の高い新タイプのヘッダーケースやインターロック装置、スイッチボックスを使用することができるエレベータのリニューアル方法を提供することである。
【課題を解決するための手段】
【００１０】
実施形態によれば、既設のホールドアと既設のヘッダーケースとを新設のホールドアと
新設のヘッダーケースとに交換する第１期作業と、既設の乗りかごを新設の乗りかごに交換する第２期作業とに分けて行い、第１期作業中は作業を中断した場合にエレベータの利用を可能とするエレベータのリニューアル方法であって、第１期作業は、既設のホールドアと既設のヘッダーケースとをエレベータホールから取外すステップと、新設のホールドアと新設のヘッダーケースとをエレベータホールに取付けるステップと、既設のホールドアと既設のヘッダーケースとから、既設のインターロック装置とこのインターロック装置のロック状態を検出する既設のスイッチボックスとを取外すステップと、取外した既設のインターロック装置と既設のスイッチボックスとを新設のホールドアと新設のヘッダーケースとに取付けるステップと、を備える。第２期作業は、既設の乗りかごをエレベータ昇降路内から取外すステップと、新設の乗りかごをエレベータ昇降路内に取付けるステップと、第１期作業で新設のホールドアと新設のヘッダーケースとに取付けた既設のインターロック装置と既設のスイッチボックスとを新設のホールドアと新設のヘッダーケースとから取外すステップと、新設の乗りかごに設けられた新設の係合装置に係合可能な新設のインターロック装置を新設のホールドアと新設のヘッダーケースとのいずれか一方に取付けるステップと、新設のインターロック装置のロック状態を検出する新設のスイッチボックスを新設のヘッダーケースに取付けるステップと、を備える。
【図面の簡単な説明】
【００１１】
【図１】エレベータのリニューアル作業の工程を説明する工程図である。
【図２】リニューアル作業開始前のホールドア及びヘッダーケースをエレベータ昇降路側から見た正面図である。
【図３】第１期作業が終了した時点のホールドア及びヘッダーケースをエレベータ昇降路側から見た正面図である。
【図４】第２期作業が終了した時点のホールドア及びヘッダーケースをエレベータ昇降路側がら見た正面図である。
【発明を実施するための形態】
【００１２】
本発明の一実施の形態を図面に基づいて説明する。エレベータのリニューアル方法は、図１に示すように、第１期作業と第２期作業とに分割して行われる。
【００１３】
リニューアル工事開始前の各階床のエレベータホールには、図１及び図２に示すように、既設のホールドア１ａ、１ｂと既設のヘッダーケース２と既設のインターロック装置３と既設のスイッチボックス４とが設けられている。
【００１４】
ホールドア１ａ、１ｂは、エレベータホールとエレベータ昇降路（図示せず）との間を開閉するドアである。ホールドア１ａ、１ｂの上部には、ハンガーローラ５を備えたハンガー６ａ、６ｂが取付けられ、一方のホールドア１ａにはインターロック装置３を構成するラッチ部３ａが取付けられている。ハンガーローラ５は、後述するハンガーレール７に転動可能に係合されている。なお、インターロック装置３は、上下方向に回動可能なラッチ部３ａと、このラッチ部３ａが回動することにより係脱される受け部３ｂと、ラッチ部３ａを回動させるために後述する既設の係合装置１１により押される当接部３ｃと、ラッチ部３ａの回動中心となる支軸部３ｄとを備え、受け部３ｂがスイッチボックス４の側面部に固定されている。
【００１５】
既設のヘッダーケース２は、エレベータ昇降路の壁面に固定されており、このヘッダーケース２には、ハンガーレール７と、既設のスイッチボックス４と、一対のシーブ８とが取付けられている。一対のシーブ８の間にはロープ９が巻き掛けられ、このロープ９にはハンガー６ａ、６ｂが連結ブラケット１０ａ、１０ｂを介して連結されている。スイッチボックス４内には、インターロック装置３のロック状態（ラッチ部３ａと受け部３ｂとの係脱状態）を検出するスイッチ（図示せず）が設けられている。
【００１６】
リニューアル工事開始前のエレベータ昇降路（図示せず）内には、既設の乗りかご（図示せず）が昇降可能に設けられている。既設の乗りかごに設けられている既設のかごドア（図示せず）には、インターロック装置３に係合し、かごドアの戸開動作に伴ってインターロック装置３のロック状態を解除するとともにホールドア１ａ、１ｂを戸開させる既設の係合装置１１が取付けられている。
【００１７】
リニューアル工事開始前のホールドア１ａ、１ｂの戸開は、以下のように行われる。エレベータ昇降路内を昇降する既設の乗りかごがホールドア１ａ、１ｂと対向する位置に移動し、かごドアに設けられている既設の係合装置１１が図２において二点鎖線で示すようにインターロック装置３に対向する。
【００１８】
この状態からかごドアの戸開動作が開始され、係合装置１１が矢印Ａ方向にスライドする。係合装置１１が矢印Ａ方向にスライドすることにより係合装置１１が当接部３ｃを押圧し、当接部３ｃが矢印Ａ方向に押圧されることによりラッチ部３ａが支軸部３ｄの回りに矢印Ｂ方向に回動する。この回動によりラッチ部３ａと受け部３ｂとの係合が外れ、係合装置１１が引き続き矢印Ａ方向にスライドすることにより、ラッチ部３ａが連結されている一方のホールドア１ａが矢印Ａ方向に戸開する。さらに、一方のホールドア１ａが矢印Ａ方向に戸開することにより、このホールドア１ａとロープ９を介して連結されている他方のホールドア１ｂが逆方向に戸開する。
【００１９】
エレベータに対するリニューアル作業は、既設のホールドア１ａ、１ｂと既設のヘッダーケース２とを新設のホールドア１２ａ、１２ｂと新設のヘッダーケース１３とに交換する第１期作業と、既設の乗りかごを新設の乗りかご（図示せず）に交換する第２期作業とに分けて行なわれる。
【００２０】
第１期作業では、まず、エレベータホールから既設のホールドア１ａ、１ｂと既設のヘッダーケース２とを取外し、取外した後のエレベータホールに新設のホールドア１２ａ、１２ｂと新設のヘッダーケース１３とを取付ける。新設のホールドア１２ａ、１２ｂ及び新設のヘッダーケース１３は、現在エレベータを新設する場合に使用される新タイプのものを使用する。
【００２１】
なお、新設のホールドア１２ａ、１２ｂの上部には、ハンガーローラ５を備えたハンガー１４ａ、１４ｂが取付けられている。
【００２２】
つぎに、既設のホールドア１ａ及び既設のヘッダーケース２から既設のインターロック装置３と既設のスイッチボックス４とを取外し、取外したインターロック装置３とスイッチボックス４とを新設のホールドア１２ａ及び新設のヘッダーケース１３に取付ける。具体的には、インターロック装置３のラッチ部３ａをホールドア１２ａに取付け、スイッチボックス４をインターロック装置３の受け部３ｂと共にヘッダーケース１３に取付ける。なお、新設のホールドア１２ａには既設のインターロック装置３のラッチ部３ａを取付ける取付部（図示せず）が予め形成され、新設のヘッダーケース１３には既設のスイッチボックス４を取付けるための取付部（図示せず）が予め形成されている。
【００２３】
ここで、新設のホールドア１２ａへの既設のインターロック装置３のラッチ部３ａの取付けと新設のヘッダーケース１３への既設のスイッチボックス４の取付けとは、ホールドア１２ａ、１２ｂ及びヘッダーケース１３をエレベータホールに取付けた後に行ってもよく、又は、ホールドア１２ａ、１２ｂ及びヘッダーケース１３をエレベータホールに取付ける前に行ってもよい。
【００２４】
図３は、第１期作業が終了した階床のエレベータホールにおける、新設のホールドア１２ａ、１２ｂと、新設のヘッダーケース１３と、ホールドア１２ａに取付けられた既設のインターロック装置３のヒッチ部３ａと、ヘッダーケース１３に取付けられた既設のスイッチボックス４とを示している。インターロック装置３とスイッチボックス４との配置状態は、図２に示したリニューアル作業開始前と同じ状態に維持されている。なお、ハンガー１４ａには、後述する新設のインターロック装置１５のラッチ部１５ａをヘッダーケース１３に取付けるための取付用窓１６（図４参照）が形成されている。
【００２５】
第１期作業中においては、各階床のエレベータホールに設けられている既設のインターロック装置３と既設の乗りかごに設けられている既設の係合装置１１とが係合可能であり、リニューアル作業を中断することによりエレベータが利用可能となっている。なお、図１に示すリニューアル作業の工程図では、第１期作業中において、第１期作業が終了した階床のエレベータホール（例えば、最下階）と第１期作業が開始されていないエレベータホール（例えば、最上階）とが建物内に混在している状態を示しているが、この状態においてもリニューアル作業を中断することによりエレベータは利用可能である。
【００２６】
第２期作業では、既設の乗りかごをエレベータ昇降路内から取外し、新設の乗りかご（図示せず）をエレベータ昇降路内に取付ける。さらに、第２期作業では、第１期作業で新設のホールドア１２ａと新設のヘッダーケース１３とに取付けた既設のインターロック装置３と既設のスイッチボックス４とを取外し、新設のインターロック装置１５のラッチ部１５ａとこのインターロック装置１５のロック状態を検出するスイッチ（図示せず）を有する新設のスイッチボックス１７とを新設のヘッダーケース１３に取付ける。
【００２７】
新設の乗りかごには新設のかごドア（図示せず）が設けられており、新設のかごドアには、新設のインターロック装置１５と係合する新設の係合装置１８が取付けられている。この係合装置１８は、新設のインターロック装置１５のラッチ部１５ａを新設のホールドア１２ａ、１２ｂのスライド方向の両側から挟む一対の長尺板状部材である係合ベーン１８ａ、１８ｂを有している。一対の係合ベーン１８ａ、１８ｂは一対のリンク１８ｃにより連結され、その間隔が調整可能となっている。
【００２８】
ヘッダーケース１３へのラッチ部１５ａの取付けは、ハンガー１４ａに形成された取付用窓１６を介して行われ、取付けられたラッチ部１５ａはハンガーレール７によりスライド可能に保持されている。
【００２９】
新設のインターロック装置１５は、ホールドア１２ａ、１２ｂの開閉方向に沿ってスライド可能であるとともに上下方向に回動可能なラッチ部１５ａと、係合装置１８により押される当接部１５ｃと、ラッチ部１５ａの回動中心となる支軸部１５ｄと、ラッチ部１５ａが回動することにより係脱される受け部１５ｂとを備え、受け部１５ｂがスイッチボックス１７の側面部に固定されている。
【００３０】
新設のスイッチボックス１７内には、新設のインターロック装置１５のロック状態を検出するスイッチと、ホールドア１２ａ、１２ｂが戸開していることを検出する戸開検出スイッチ（図示せず）とが設けられている。
【００３１】
図４は、第２期作業が終了した後のエレベータホールにおける、新設のホールドア１２ａ、１２ｂと、新設のヘッダーケース１３と、ヘッダーケース１３とに取付けられた新設のインターロック装置１５及び新設のスイッチボックス１７とを示している。
【００３２】
この第２期作業では、既設の乗りかごかを新設の乗りかごに交換する作業と、既設のインターロック装置３と既設のスイッチボックス４とを新設のインターロック装置１５と新
設のスイッチボックス１７とに交換する作業とは、どちらを先に行ってもよく、又は、同時に進行させてもよい。
【００３３】
第２期作業が終了した後は、各階床に設けられている新設のインターロック装置１５と新設の乗りかごに設けられた新設の係合装置１８とが係合可能であり、エレベータが利用可能となる。
【００３４】
第２期作業が終了した後におけるホールドア１２ａ、１２ｂの戸開は、以下のように行われる。エレベータ昇降路内を昇降する新設の乗りかごがホールドア１２ａ、１２ｂと対向する位置に移動し、かごドアに設けられている新設の係合装置１８の一対の係合ベーン１８ａ、１８ｂが図４において二点鎖線で示すようにインターロック装置１５に対向する。
【００３５】
この状態からかごドアの戸開動作が開始され、一方の係合ベーン１８ｂが矢印ａ方向にスライドすることにより係合ベーン１８ｂが当接部１５ｃを押圧し、当接部１５ｃが矢印ａ方向に押圧されることによりラッチ部１５ａが支軸部１５ｄの回りに矢印ｂ方向に回動する。この回動によりラッチ部１５ａと受け部１５ｂとの係合が外れ、係合ベーン１８ａ、１８ｂが引き続き矢印ａ方向にスライドすることにより、ラッチ部１５ａがハンガーレール７に沿って矢印ａ方向にスライドする。ラッチ部１５ａが矢印ａ方向にスライドすることにより、ラッチ部１５ａがハンガー１４ａに形成された取付用窓１６の縁部に当接してホールドア１２ａを矢印ａ方向に押圧し、ホールドア１２ａが矢印ａ方向に戸開する。さらに、一方のホールドア１２ａが矢印ａ方向に戸開することにより、このホールドア１２ａとロープ９を介して連結されている他方のホールドア１２ｂが逆方向に戸開する。
【００３６】
この実施形態のエレベータのリニューアル方法によれば、第１期作業中は、新設のホールドア１２ａ、１２ｂと新設のヘッダーケース１３とに既設のインターロック装置３と既設のスイッチボックス４とを取付け、既設の乗りかごに設けられている既設の係合装置１１を使用することにより、かごドアとホールドア１２ａ、１２ｂとを戸開及び戸閉させることができ、リニューアル作業を中断した場合にエレベータが利用可能となる。
【００３７】
第２期作業終了後には、既設のインターロック装置３と既設のスイッチボックス４とが取外され、新設のヘッダーケース１３に新設のインターロック装置１５と新設のスイッチボックス１７とが取付けられ、新設の乗りかごに設けられている新設の係合装置１８を使用することによりかごドアとホールドア１２ａ、１２ｂとが戸開及び戸閉される。このため、新設のヘッダーケース１３や新設のインターロック装置１５、新設のスイッチボックス１７を、既設のヘッダーケース２や既設のインターロック装置３や既設のスイッチボックス４と構造が異なる新タイプのものを使用することができる。これにより、エレベータのリニューアル工事において、新設のヘッダーケース１３や新設のインターロック装置１５や新設のスイッチボックス１７を安価で安全性の高い新タイプのものを使用することができるようになる。
【００３８】
また、新設のスイッチボックス１７内には、インターロック装置１５のロック状態を検出するスイッチに加えてホールドア１２ａ、１２ｂが戸開していることを検出する戸開検出スイッチが設けられているため、ホールドア１２ａ、１２ｂが戸開した状態で乗りかごが昇降するという事態の発生を確実に防止することができる。
【００３９】
また、新設の係合装置１８はインターロック装置１５のラッチ部１５ａをホールドア１２ａ、１２ｂのスライド方向の両側から挟む一対の係合ベーン１８ａ、１８ｂを有しており、かごドアのスライド動作に伴ってインターロック装置１５のラッチ部１５ａを受け部１５ｂに対して係脱可能な位置に確実にスライドさせることができる。
【００４０】
なお、本実施形態では、新設のインターロック装置１５のラッチ部１５ａをヘッダーケース１３にスライド可能に取付けた場合を例に挙げて説明したが、このラッチ部１５ａをホールドア１２ａに取付け、ホールドア１２ａと一体にスライドする構造としてもよい。
【００４１】
この実施形態は、例として提示したものであり、発明の範囲を限定することは意図していない。この新規な実施形態は、その他の様々な形態で実施されることが可能であり、発明の要旨を逸脱しない範囲で、様々の省略、置き換え、変更を行うことができる。この実施形態やその変更は、発明の範囲や要旨に含まれるとともに、特許請求の範囲に記載された発明とその均等の範囲に含まれる。
【符号の説明】
【００４２】
１ａ、１ｂ  既設のホールドア
２    既設のヘッダーケース
３    既設のインターロック装置
４    既設のスイッチボックス
１２ａ、１２ｂ  新設のホールドア
１３    新設のヘッダーケース
１５    新設のインターロック装置
１７    新設のスイッチボックス
１８    新設の係合装置
１８ａ、１８ｂ  係合ベーン
【図１】
2012184090.tif 000003
【図２】
2012184090.tif 000004
【図３】
2012184090.tif 000005
【図４】
2012184090.tif 000006